(57)【要約】      （修正有）【課題】住居と一諸に建築することができ、自宅での避難塔となる災害緊急避難塔を提供する。【解決手段】災害緊急避難塔は、杭基礎を用いて基台座を組設し、角形鋼（角パイプ）１−１の主柱や間柱を横梁で繋ぎ、剛建な外壁の内部に浮遊体ルーム１−３を建ち上げる。塔柱と浮遊体ルームの間に、Ｌ型案内レール板を四隅角に設け、主柱角パイプとの頭頂に浮遊体ルームを繋ぎ、浮遊体ルーム（居室）内の大輪ハンドルと復合錘昇降手動装置により、浮遊体ルームを上昇、下降できる。長雨、豪雨、洪水、津波などの水害時には、浮遊体ルームの構造が水に浮くので、段階静止装置により、増水に対し段階的にＬ型案内レール板に添って上昇する。剛建な外壁により耐震性を有し、台風や竜巻にも備える。基台座空間部に設けるシェルター部、塔頂に設ける散水装置に加え、物置、トイレ、なども備える。【選択図】図１
2017206934.tif 000002
【特許請求の範囲】
【請求項１】
復数の錘を用いて、物体を吊り上げるための形態として、錘を内包して上下に走行するための復数の角形鋼材（角パイプ）、又は木製厚板角パイプを用いて、先ずその中央に吊荷である角形に建造した災害避難ルーム（浮遊体ルーム）を据え置き、その外壁としてルームを囲う形状に角パイプを建ち上げる。
その角パイプは地下２ｍ以上の深部に設ける基礎台座部より建ち上がり、それぞれが支持杭、又は摩擦杭に支持される。
その場合の四角形状に建つ四隅の角パイプ（主柱）は同径の角パイプを用い、間柱のパイプは入口部を省いて、三辺共に同径の角パイプを用い、入口部はその半角パイプを二本用いて、四辺の錘の均衡をはかり、それら全ての角パイプは内側空洞が一貫した同径で継接は外面プレート接合にし、それぞれの角パイプは同一丈に建て込む。
それら隣接するパイプ間は、入口部を省く全てに適宜半角パイプによる梁を設け、入口部を省く全ての壁面には等辺山形鋼（アングル）による筋交いを設ける。
それら角パイプによる剛壁と、その中央に据え置く浮遊体ルームとの四隅角部間に、浮遊体ルームの昇降を案内する二枚重ねのＬ形鋼案内板が、浮遊体ルーム角部四隅に設置する浮遊体ルームの安定走行装置付制御装置の巾分離れた位置に、各角パイプの基礎台座上に建て込み、外周角パイプ壁同丈にして背後の主柱角パイプとの間に梁を取り固設する。
その主柱角パイプとＬ形鋼案内板との頭頂には、角パイプの内包する錘と浮遊体ルームを繋ぐワイヤーロープを滑車リールで渡す、ダブル滑車渡橋が双方に跨がり付帯するステージ板を主柱と案内板に固設し、同様に間柱角パイプもリップ溝形鋼を用いて、ダブル滑車渡橋を設置して角パイプに梁を取る。
錘と浮遊体ルームを繋ぐワイヤーロープは、その釣り合う長さを求め、錘上面中央の吊金具とダブル滑車渡橋を通して浮遊体ルームの上部骨格部に設けた吊金具の双方を緊結し、更に錘の下底面中央に固設する吊金具と、角パイプ内空洞部底地部に設置の滑車付リールを通して折り返すワイヤーロープを、ダブル滑車渡橋のもう一方を通して、浮遊体ルームの屋上部の受滑車リールを通して、浮遊体ルーム屋上中央の集縄庫に入り、歯車付反転リールに緊結する。
その浮遊体ルーム屋上に設置の集縄庫には、居室（操作室）の大輪操作ハンドルの芯管が伸びておりその先端に大歯車を付帯するリールが固設して、中央にあって回転軸とし、その四方にその大歯車に噛み合う歯車付反転リールを配している。
角パイプ内の錘の重量と災害避難ルーム（浮遊体ルーム）に乗員を含んでの重量の均衡をはかる浮遊体ルームの操作大ハンドルは、前述した錘上面及び錘下底面からのワイヤーロープの集縄庫に於ける巻き取りは、錘の重量不足を補う操作となり、一方浮遊体ルーム自体の底面に固設する吊金具に緊結するワイヤーロープを、その直下地盤に設置の滑車リールを通して、この災害避難塔の最上部に設置した吊滑車リールを通して浮遊体ルーム屋上に降りて、受滑車リールをを通して集縄庫に入り、大歯車付芯管リールに緊結し、そのワイヤーロープを一行程分素巻きしておくことで浮遊体ルームの下降の際、錘重量過多、吊荷側重量不足を手動で操作大輪ハンドルを下降方向に操作することで解消し降下できる。
双挾ローラー付制御装置及びサイドブレーキと操作大輪ハンドルを含む制御装置による運行と吊荷側手動操作による錘重量の加減と釣合均衡の調整を可能にしたシステムの復合錘昇降手動装置。
【請求項２】
復合錘昇降手動装置（請求項１）を用いて、居室内装作によって昇降する浮遊体ルームは、外壁である角形鋼（角パイプ）に支持されるＬ形鋼によるＬ型案内レール板に添って運行し、その浮遊体ルーム四隅角に固設し、そのＬ型案内板の両翼に挾制して案内と制御をする双挾ローラー付制御装置は、角柱巾でＬ形に加工したＬ形鋼厚板両翼端部に、浮遊体ルームに固設のネジ穴を刻設し、又同巾のコの字型の４．０軽溝形鋼を用いて、加工のＬ形鋼厚板背面両翼ネジ穴内側に溶接し、更に３．０軽溝形鋼を用いて浅型に加工し、その内側横向きに、ベアリングを内包するローラーを片側二基づつ芯丸棒を用いて、コの字型軽量鋼に穴を刻設して固設し、コの字型４．０軽溝形鋼両端先端を合わせて溶接する。
コの字型４．０軽溝形鋼の背面部に、回転式制御筒を設置の穴を刻設し、鋼管内側にネジ溝を刻設した筒を嵌設し、Ｌ型案内レール板迄の矩離を計って外部で溶接し、その筒内に刻設したネジ溝に合わせた突出ネジ山を刻設した丸棒鋼を嵌設し、鋼管より突き出し部に、平鋼板に厚皮を巻止めし、丸棒鋼先端にビス止めする。
その丸棒鋼背面は、コの字型４．０軽鋼背面に突き出る制御回転巾を残こして、ワイヤーロープの受け穴を刻設した弓型制御棒が、復数のビス穴を刻設してビス止めされ、突出する丸棒鋼ネジ部はゴムカバーで覆われる。
この双挾ローラー付制御装置は、浮遊体ルームの四隅角の主柱に組設する天井部横梁部及び、底部の横梁のそれぞれ四方の合計八ケ所に固設され、その弓型制御棒から伸びるワイヤーロープは、浮遊体ルーム上面で腰高受滑車リールを通して集縄庫に入り、芯管頭頂に固設するラッパ型集縄器に集縄し、芯管を通して居室（操作室）大輪ハンドルの芯管より出て、一活で操作できる芯管口ハンドルに接続する。
【請求項３】
災害に遭遇して緊急を要する時の、主に水害のための緊急脱出補助装置で、浮遊体ルームを昇降案内する、Ｌ形鋼による二重合わせで用いるＬ型案内レール板のうち、内側Ｌ形鋼の左右平面部に、静止爪を嵌設するための刻設穴を幅、丈共に裕を設けて、平面部中心に適宜な間隔を持って刻設し、合設する後面Ｌ形鋼の同位置には、その嵌設爪の下辺両脇に突出する回転軸が、前、後面間に嵌設し、その静止爪が内側に４５°に倒れた時の回転軸下の爪元が、４５°で後方に起き上がる、その爪元を捉え静止爪が水平となる分、その幅、丈分の穴を刻設し、合設する前後Ｌ形鋼の穴刻設部の合わせ目の回転軸刻溝を、前後両面に刻設し、その静止爪を嵌設し調整して溶設で固定する。
浮遊体ルーム四隅角に設置するＬ型案内レール板に設置する段階静止装置の解閉装置は、そのＬ形鋼の内角に丸棒鋼に薄形平鋼による解閉板をＬ形鋼内面に添う角度で、静止爪倒起口迄届く長さで溶接し、上下に解閉を操り返す裕分を残して、丸棒鋼は適宜な間隔を持ってバンド金具でビス止めする。
その丸棒鋼の頭頂部には、解閉のための吊輪金具がダブル滑車渡橋を回避して取り付け
2017206934.tif 000011
アングル梁に吊用ボルトに吊られ、浮遊体ルーム最上部に集まるそれら各輪先を集束したワイヤーロープが、浮遊体ルーム屋上に垂れ下がり、集縄庫を通して居室内に入り大輪ハンドルの芯管に引き縄ハンドルが設けて一活操作となる。
浸水による緊急事態に対応し、引き縄を引いておき、サイドブレーキを解除しておくことで、水に対し浮力構造の浮遊体ルームは、その段階静止装置の静止爪に段々に乗り上げ乍ら、錘の上昇力と水圧の上昇力により静止爪上迄浮上した浮遊体ルームは一担爪上に乗ると降りることはなく安全に上昇する、段階静止装置。
【発明の詳細な説明】
【技術分野】
【０００１】特殊建築物の工法に関する。
【背景技術】
【０００２】手動式の昇降装置であり、動力（売電力は不可）は蓄電バッテリーの補助のみである。
【発明が解決しようとする課題】
【０００３】災害に遭遇して避難するに、病人や老体で歩行困難者や、幼児、小供を抱えた妊婦や肢体不自由な人、又遠隔地の人達の緊急避難の困難な人達が、災害の起こる度にかなりの数で被害に遭い、避難先でも尊い命を失なっている。
近年起きた災害の形態も、それぞれ違っている。
【課題を解決するための手段】
【０００４】本発明の災害緊急避難塔は、被災に対応可能な基盤を造り、その基板上に建ち上がる骨格部は、その基盤内から組み上げる構成で、その基礎部には基台座（図９）を組設し、それら角形鋼（角パイプ）（１−１）による建柱（１−１）は支持杭又は摩擦杭に支持され、その基台座は避難塔の建柱を基礎部から支持し組設される。
その基台座の空間部はシェルター建造部であり、災害緊急避難ルーム（浮遊体ルーム）（図２）は、地下シェルター部迄下降可能にするため、角形鋼（角パイプ）の建柱及びその角パイプに支持され乍ら、浮遊体ルームを昇降案内するＬ形鋼のＬ型案内レール板（４−１）は、断続乍らそのシェルター床部迄達している。
杭基礎（基台座）に支持されＧＬ上に建ち上がる角パイプは、その内側空洞部に防錆塗料を塗布し、継接は外面プレート接合にして、その内空洞を昇降する錘（１−２）の障害を消減し、錘に着けるぶれ止めリング（１−２）の滑らかな昇降を期し、その基礎中より囲形に建ち上げ、その頭頂部を半角形鋼を用いて横梁を回す。
ＧＬ上に建ち並ぶ角パイプの囲いの中央にあるシェルターの、浮遊体ルーム下降進入口の蓋を閉め、その蓋上で外壁角パイプの中央に、仮設台を設け、浮遊体ルームの完成体を設置し、その四隅角に設置するＬ型案内レール板（１−１１）の段階静止装置（図１１）を刻設した完成品と外壁角パイプ及び浮遊体ルームの繋設は、この避難塔の最重要部であり、先ず基礎部より建ち上がる角パイプの四角隅の主柱とＬ型案内レール板の繋設をし、ＧＬ部寸法と頭頂部寸法の厳密な確認の上で繋設加工材を嵌設しビス止めで調整し溶接する。
そのＬ型案内レール板の設置を見て、浮遊体ルームとＬ型案内レール板の間を四角隅上下に嵌設して昇降を司どる双挾ローラー付制御装置（１−５）をＬ型案内レール板の頭頂より嵌め下ろして、浮遊体ルームの四方角上下に長ビスで固設する。
Ｌ型案内レール板と浮遊体ルーム間の繋設が済み次第、そのＬ型案内レール板の四基の頭頂部を固設する、Ｌ形鋼のアングル梁（１−１４）は、錘と浮遊体ルームを繋ぐワイヤーロープを渡すダブル滑車渡橋（１−４）の嵌設溝、段階静止装置（１−１２）の吊金具穴、浮遊体ルーム底部吊ワイヤーロープ吊金具（図２）用ボルト穴、間柱角パイプ個所用支柱のリップ溝形鋼にサイドブレーキ穴を刻設した支柱（図１）のボルト嵌設穴を刻設して、四基をボルトを用いて固設する。
間柱角パイプ頭頂に設置するダブル滑車渡橋の支柱であるリップ溝形鋼（チャンネル）をアングル梁にボルト締めで緊結し、間柱角パイプとの間を繋設加工材を嵌設してビス止めをする。
【０００５】基礎部より建ち上がる角形鋼による主柱及び間柱の角パイプは、浮遊体ルームを囲んで並び建つその頭頂部に設した横梁の半角パイプを、適宜間隔を持って全壁面に入口部部を省いて溶接し、外壁面面一としてその内側浮遊体ルーム間は階段部となる。
2017206934.tif 000003
（１−１８）を入口部を省く全枠内に溶設し、耐震と衝激に備え、その横梁半角パイプ
2017206934.tif 000004
ームによるササラ格子（１−１９）を嵌設し、その内面はその金網を貼る。
【０００６】外壁として、又錘の収容走行体としての角パイプは、その下部ＧＬ直近内側に嵌蓋が開閉ハンドルを蓋上に付け、下に丁番を用いて、作業口として手の入る広さがあり、その作業口（１−２５）より工具を用いて返戻滑車リール（１−２４）を各角パイプに取り付ける。
浮遊体ルームの入口部は住居部床高と合わせ、車イスや幼児の歩行のため平坦に居室及び框、濡れ縁の高さを決めるため、角パイプの四隅角に建つ主柱の錘と、浮遊体ルームの四隅角屋上の吊金具にワイヤーロープを頭頂部に跨がるダブル滑車渡橋（１−４）の一方を通して緊結し、又、錘底部に刻設の吊金具に緊結のワイヤーロープは角パイプ底部直近に固設する返戻滑車リールを通して頭頂部に戻し、ダブル滑車渡橋のもう一方を通して、浮遊体ルーム屋上に固設する受滑車リール（図２）を通して集縄庫に入り、反転歯車付リール（１−２４）に緊結する。
四隅角の主柱角パイプを同様に仕立て、ワイヤーロープの調整、双挾ローラー、制御装置の具合を点倹し、先ず浮遊体ルームを上昇させ途中停止の状態で、仮設台を省き軟着エア台（１１−４）を挿入し、浮遊体ルームを下降して住居との高低を確認して、浮遊体ルームと住居の平坦を図る。
その浮遊体ルームと住居の間の框、濡れ縁は、双方の高さで造り、その高さから階段部が角パイプ側に支持されて巡回し、住居部二階、又は三階からでも、階段部濡れ縁を住居部と合わせることで手動で停止できる。
間柱角パイプの錘と浮遊体ルームとのワイヤーロープの繋設をし、浮遊体ルーム底部に刻設の吊金具にワイヤーロープを緊結し、その直下ＧＬシェルター下降進入口縁に返戻滑車リール（１−２４）を固設し、Ｌ型案内レール板頭頂を周設するアングル梁にボルト吊滑車リール（１−９）を通して、浮遊体ルーム屋上の受滑車リールを通り集縄庫中央の芯管に固設する歯車付リール（２−１８）に緊結する。
【０００７】階段部の現場工作や種々の角パイプへの繋設個所のビス止め部を今一度溶接で重設し、些少でも耐震率を高める。
Ｌ形鋼の二重合わせで刻設した段階制止装置のＬ型案内レール板の解閉装置は、そのＬ形鋼の内角の角部に丸棒鋼を用いて、Ｌ形鋼に刻設した穴に嵌設する薄形平鋼による解除板を持つ加工品を合わせ設置し、バンド金具で少々緩めにビス止めし上下間を数個所づつ四基を設置する。
その丸棒鋼頭頂部には吊輪操作金具（１１−１）の先端角部が丸棒鋼頭頂を狹み込み、ビス止めで個設し、ダブル滑車渡橋を迂回する輪部がＬ形鋼アングル梁に吊られて、先端を中央に伸ばして、四基より伸びる先端を集束してワイヤーロープで結束し、そのワイヤーロープが浮遊体ルーム屋上の集縄庫に入り芯管を通して居室内大輪ハンドル脇に引縄握りハンドルに繋がる。
災害に遭遇して、急激な増水に対応できる装置で、浮遊体ルームが水に浮く構造であり、時間的余裕のある場合は、平常操作での上昇で問題はなく、寝たきりの方一人の場合は常時解除が望ましい。
【０００８】本発明の災害緊急避難塔は、角形鋼による外壁面と、昇降する浮遊体ルームの間の階段部は、避難を要する災害に遭遇した時、健常者であっても避難を可能にし、近隣の人等も利用できる構成で、その階段の桁材は、その壁面である角パイプに軽量形鋼（アングル）を段毎にビス止めし、片桁に方づえを取り、アルミニユーム材で踏板を乗せ、巾挾の分踏面を長く取り、踏込みを浅くして、浮遊体ルームを一周する毎に浮遊体ルーム入口部は段差のない長い踏面で、途中停止に備え、その浮遊体ルームの走行部は、その四隅角に建つＬ型案内レール板の背面角部から次の背面角部迄の間は、入口部を省いて金網が張られて、危険防止と浮遊体ルーム走行内に、災害による塵芥の流入や、鳥虫類の防害防止にも備える。
その階段の上階部は、更に踏面を長く取り避難の休息や、最上階に備える簡易トイレや、避難に必要な数日分の水、食量などの入れ物や、病の人の装備品や、又、任婦や幼児など想定外の重量で、操作ハンドルに過度の負荷となる場合に追加錘の錘庫（１０−３）も最上部に備える。
【０００９】この災害緊急避難塔の屋根部の構成は、角形鋼による外壁面の頭頂部各柱間に、半角パイプによる横梁が設され外面面一に整う外周縁部に、等辺山形鋼（アングル）によるはみだしを設け、その上に軒桁であるリップ溝形鋼を繋設するボルト穴を刻設して、角合わせ部は大留めで廻し、ボルト締めで固設する。
そのアングル上には、巾広リップ形鋼による軒桁がボルト締めで固設し乍ら、その背面下隅部に、直下の半角パイプ梁との間に金折金物で固設する。
その軒桁設置の各辺の合わせ目は、Ｌ形鋼を用いてボルト締めで繋設し、リブ部４５°切りし面を合わせる。
その四辺からなる軒桁巾広リップ形鋼の辺の中心に建つ角パイプ（間柱）上に、その一
2017206934.tif 000005
ングル）を用いて長方形に、両側面及び上面は筋交いを設け、巾広面は外面のみ設けて軒桁背面に繋設し、間柱角パイプ上は追加錘の嵌設口として空ける。
間柱角パイプ上、角パイプ梁上、四辺に亘って各ビス穴、ボルト穴を刻設してそれらを固設する。
その台座巾で、中央山高の十字形に等辺山形鋼で工作したトラスは、山高中央部は平坦
2017206934.tif 000006
梁面の全てに筋交いを設し、四辺中央の台座部に設置する十字形トラスは、その台座との接面にボルト及びビス穴を刻設して固設する。
残る四方角隅部には、リップ溝形鋼抱き合わせで小返面取りの隅木をトラスにボルトで固設し、トラスと軒先を合わせる。
2017206934.tif 000007
【００１０】居室（操作室）の大輪ハンドルへの手が放れ自然上昇した場合、浮遊体ルーム最上部のＬ型コナー梁にスプリングによる軟着制止棒（１−１３）が四辺に固設してあり、急激な衝突を防止で
2017206934.tif 000008
態がある場合、居室（操作室）の大輪ハンドルが急激な下降を防止すると共に、浮遊体ルーム着地地盤には、スプリングとスポンジを用いたエアー軟着台が設置しており激しい着地を防止している。
錘を内包し走行する角パイプの底部には、追加錘の手違いや、サイドブレーキの掛け忘れなどで空降下する衝激を柔げるための軟着台が設置してある。
【００１１】浮遊体ルーム居室の天上十字梁上が機械庫で、その室の中心を通る芯管に蓄電バツテリー（２−７）からベルトで繋がる大リール（２−９）が始動時エネルギーとして、設置してあり、そのベルトは装着の儘で、蓄電池の移動と駆動スイッチは居室に設置している。
先ず始動時は居室（操作室）中央天井に設置の大輪ハンドルで荷重の具合いを確認しサイドブレーキを解除して、大輪ハンドルの掛金を外し、解除ブレーキハンドルを握り乍ら、錘と浮遊体ルームの釣り合いをハンドルで探り、決められた重量内である場合は、比較的軽快に上昇し決められた重量を越える場合は、始動時が重くなる。
【発明の効果】
【００１２】個々に避難設備を持つ人は少ない。自治体では少数だが増えつつあるが体の不自由な弱者向きではない。
近年災害による避難がたびたび見聞する、しかし、その避難先でも弱者は困難を極める。
本発明の利点は、寝たきりでない限り、本人が操作できること。家人が同時に避難できること、近隣の人も避難でき、災害の種類が多様に亘ること、住居の中に建て込むことで、住居ごと耐震に供すること、電力を消費しないこと。
【発明を実施するための形態】
【００１３】本来、住宅を建築と同時に建て込むことが良い。
本発明の用途が広いため一概に本説明の形状とは限らないが、手動であることに於いて、動力エレベーターとは異にする。又、作業現場で高所に滑車を吊り、物を上げて、その物の下にロープを下げての作業などとも違い、又工場に於ける荷上げ用吊り台車とも異にした装置である。
【実施例】
【００１４】
2017206934.tif 000009
木製角パイプ短尺型試作中。
【図面の簡単な説明】
【００１５】
【図１】災害緊急避難塔斜視透視図、――屋根部を省く全体像、浮遊体ルームは別図、
【図２】浮遊体ルーム断面図、――側面断面図、屋上に集縄庫あり、被せ蓋、
【図３】サイドブレーキ設置側面図及び平面図、――片方のハンドルで両利きとなる、
【図４】双挾ローラー付制御装置平面図、――四隅角の上下に用いる、八ヶ所を同時装作、
【図５】屋根部平面透視図、――トラスは四方台上に固設、錘交換が可能にする、
【図６】ワイヤロープ屋上繋設平面図、――角パイプの錘と浮遊体ルームとの繋設、ダブル滑車渡橋、
【図７】災害緊急避難塔入口平面断面図、――浮遊体ルームの昇降と階段間の綱張り、
【図８】基台座平面図、――地中より建ち上がる角パイプの状態と基台座の支持、
【図９】支持杭、基台座繋設側面図、――同上の側面図、
【図１０】階段部透視図、――壁面角パイプ側に支持され、内側は網張りで防御する、
【図１１】段階静止装置解閉図他――軟着台、屋根部はみ出し、筋交い、ササラ格子、
【符号の説明】
【００１６】図１、
１−１、角形鋼（角パイプ）――錘を内包して、浮遊体ルームと吊り合う、
１−２、錘――災害緊急避難塔の動力源であり、各装置により、浮遊体ルームを昇降させ避難させる、
１−３、避難ルーム（浮遊体ルーム）――錘を原動力に自体を昇降させる装置を装着して避難する居室、
１−４、ダブル滑車渡橋――錘と浮遊体ルーを繋ぐワイヤーロープを昇向吊と降向吊の二方向を司どる滑車体、
１−５、双挾ローラー付制御装置――浮遊体ルームの昇降の際に、揺れを防ぎ、緊急の停止を可能にする八所ブレーキ、
１−６、階段――居室で避難の必要のない方や、避難者が多数の場合などに用いる、
１−７、両開扉――浮遊体ルームの入口で、普段は開けておく、住居繋がる居室、
１−８、集縄庫――錘と吊り合う浮遊体ルームの居室（操作室）内の操作のために、ワイヤーロープを集め、仕訳ける、
１−９、受滑車リール――錘からのワイヤーロープを一坦受けて集縄庫に入れる役割、
１−１０、主柱刻設吊具――主柱角パイプの錘より直接受ける、浮遊体ルーム主柱の吊具、
１−１１、Ｌ型案内レール板――浮遊体ルームの昇降案内と段階静止装置を装着している、
１−１２、段階静止装置の輪型吊金具――段階静止装置の解閉輪金具、
１−１３、浮遊体ルーム静止装置――浮遊体ルーム急激な上昇に働く、
2017206934.tif 000010
１−１５、サイドブレーキ嵌設穴――リップ溝形鋼の間柱滑車渡橋支柱の左右端部、
１−１６、間柱角形鋼（角パイプ）――外壁面の間柱角パイプ、錘内包、
１−１７、段階静止装置の静止爪――Ｌ型案内レール板に嵌設の静止装置の爪、
１−１８、Ｌ形鋼筋交い――角形鋼（角パイプ）外壁面入口部を省く全てに固設、
１−１９、ササラ格子――Ｌ形鋼筋交いの外面に固設、
１−２０、換気口――吸、排気の換気口、
１−２１、採光二重窓――嵌め殺し窓で入口部を省く、三方壁面に設置、
１−２２、半角形鋼横梁――角形鋼（角パイプ）の壁面の入口部を省く全てに適宜間隔で設置、
１−２３、繋設金物――Ｌ型案内レール板と角形鋼（角パイプ）主柱との繋設金物、
１−２４、返戻滑車リール――錘下面吊具より緊結ワイヤーロープをダブル滑車渡橋迄返戻するリール、
１−２５、作業扉――補修口、ワイヤーロープなど点倹に用いる、
図２
２−１、大輪操作ハンドル――浮遊体ルームを昇降操作できる居室内ハンドル、
２−２、大ハンドルノズル――車イスや小人のハンドルに届かない人の取手、
２−３、双挾ローラー付制御装置握りハンドル――八所制御装置のハンドル、
２−４、段階静止装置のハンドル――引くことで閉口、引き放すことで解口となる、
２−５、サイドブレーキハンドル――二ヶ所有るハンドルは接続している、
２−６、大輪ハンドル拘束バンド――不用時に止め置くバンド、
２−７、蓄電バッテリー――始動時の補助エネルギー、
２−８、バッテリー操作ハンドル――バッテリー移動ハンドル、
２−９、バッテリー接続大リール――ベルト嵌設の儘の大リール、
２−１０、換気扇――二ヶ所に設置して空気の清浄を計る、
２−１１、換気扇スイッチ――スイッチは別々に付いている、
２−１２、蓄電バッテリースイッチ――操作ハンドル上に取り付ける、
２−１３、換気扇の換気筒――屋上部に突出させて被せ筒を設ける、
２−１４、集縄庫蓋――蓋自体も外せ、その蓋上部も外すことができる、
２−１５、芯管――大輪ハンドルと直結する回転軸で、直結する歯車で四方の歯車を回転する、
２−１６、固定管――建造物に固定され、ベアリングを嵌設して芯管を自在にする、
２−１７、ベアリング――固定管に固設されるベアリングで芯管に固設されて挿入後に固定する、
２−１８、歯車付リール――錘より送配されるワイヤーロープを緊結し、操作ハンドルで巻き取る、
２−１９、反転歯車――リールを固設し、芯管歯車により噛み合って反転する、
２−２０、ラッパ型集縄器――双挾ローラー付制御装置のワイヤーロープを操作室に送る、
２−２１、室内照明――バッテリーで灯る照明、
２−２２、照明用スイッチ――二基の照明それぞれにスイッチは設ける、
２−２３、両開き扉――居室入口の扉、四方ゴム止めと、扉枠柱のゴム止めで密閉となる、
２−２４、浮遊材庫――隅々迄発砲スチロールを強力接着剤を用いて詰め込む、
２−２５、居室（操作室）――浮遊体ルームの昇降操作は全てこの居室で行う、
２−２６、機械庫――蓄電バッテリーによる始動補助庫、場合によっては発電気を屋上に用いる、
２−２７、手摺り――居室内四壁に回る、操作時に掴り立ちもある、
２−２８、バッテリー――室内照明他に用いる、
２−２９、折りタタミベット――要、不用による、
２−３０、クレセント・クレセント受け――災害時入口扉を閉め施錠に使う、上、下四ヶ所に設置、
２−３１、収納庫――床下収納庫、
図３、
３−１、サイドブレーキ歯車――ハンドルに直結の歯車と、錠丸棒に固設した刻設歯が噛み合って施錠、
３−２、錠丸棒――刻設歯を持つ施錠棒、
３−３、棒留バンド――錠丸棒を押さえる裕あるバンド、
３−４、十字梁――サイドブレーキを設置する居室天井の十字梁り、
３−５、ストッパー――錠丸棒の行き過ぎ押さえる、
図４、
４−１、Ｌ型案内レール板――浮遊体ルームの昇降を四隅角で案内し支える、
４−２、ベアリング入ローラー――双挾ローラー付制御装置の形鋼先端で案内板を挾み揺動制止、
４−３、丸棒鋼――円筒鋼管内の刻設溝に合わせた突出ねじ山を設け、先端に厚板付、
４−４、円筒鋼管――円筒の内側に溝を刻設し、その筒内で回転する  棒鋼を突き出す、
４−５、弓型制御棒――ワイヤロープ嵌設穴に設置のワイヤーロープはラッパ型集縄器を通して操作室に集まる、
４−６、制御板――丸棒鋼の先端に溶接され、消音に厚皮を貼って、制御時には左右よ挾む、
４−７、厚皮――制御板に消音のために制御板に被せ貼りで取り付ける、
図５、
５−１、軒桁――巾広リップ形鋼による建ち上け高は、追加錘や補修高、
５−２、トラス受台座――軒桁の高さで造る台座で、トラスを受ける、
５−３、十字形トラス――中央四角形六面全てに筋交いが入る、
５−４、垂木――小屋梁、小屋塚を設けて垂木を渡す（アルミでも可）、
５−５、屋根材――小屋梁他、材に合わせた屋根材を選び用いる、
図６、
６−１、タブル滑車渡橋――直接吊りと返戻ワイヤーロープ二通りを渡す滑車リール、
６−２、単滑車渡橋――間柱角パイプを減寸で用いる場合、単滑車でもよい、
６−３、主柱角形鋼――浮遊体ルームの囲形四隅角に用いる、
６−４、間柱角形鋼――主柱角形鋼同士の間に建つ角形鋼、
６−５、浮遊体ルーム――各分散する角形鋼の内包する錘を包摂して昇降する居室（操作室）を持つ庵、
６−６、金網――昇降する浮遊体ルームと、階段部を遮断する避網、
６−７、階段――昇降する浮遊体ルーム以外の避難ルートで、補修や、故障の緊急時に有効、
６−８、集縄庫――各角形鋼の内包する錘からのワイヤーロープを集め用途を仕訳けて中継する集放庫、
図７、
７−１、ふみこみ――住居部との接続で浮遊体ルームの降下位置となる、
７−２、吊金具――角パイプの錘の直接吊りとなる位置、
７−３、集縄庫止め具――集縄庫は身、蓋相方から成り、かぶせ蓋を止める、中央は補修口、
図８、
８−１、角形鋼――支持杭又は摩擦杭に支持される基台座は全て角形鋼（角パイプ）を使用、
８−２、井桁組――基台座の建柱は全て避難塔の建柱であり、その柱を井桁組柱が支える、
８−３、繋設金折金物――角パイプの繋設部はＴ継手かど継手は折金具に溶接を用いる、
８−４、当て金――平面継設部には当て金を用いて溶接する、
８−５、コンクリート――地中で組設する角パイプ内にはコンクリートを詰め込む、
図９、
９−１  支柱（方杖）――基台座は避難塔の建柱を地中で組設し共に杭に支持される、広拡から支柱（方杖）、
図１０、
１０−１  金折金物――現場組設となる階段部は金折金物やアングルを用いてその場合わせとなる、
１０−２、段取りボルト――蹴上げ寸法を一定にするための両ネジボルト、
１０−３、仕切り戸――階段最上部は危険であり、物置などの間の仕切り、その先には錘庫がある、
図１１、
１１−１、輪型吊装作金具――Ｌ形鋼アングル梁に吊る四隅角より集まる輪金具を中央で集束して操作室へ送る、
１１−２、（アングル梁）Ｌ形鋼補強梁――Ｌ形鋼Ｌ型案内レール板頭頂四基を周設する梁、
１１−３、解閉ワイヤーロープ――静止装置の解閉を操作する輪金具を集束したワイヤーロープ、
１１−４、エア軟着台――浮遊体ルームの下降の際の着地に設け軟着台、
【図１】
2017206934.tif 000012
【図２】
2017206934.tif 000013
【図３】
2017206934.tif 000014
【図４】
2017206934.tif 000015
【図５】
2017206934.tif 000016
【図６】
2017206934.tif 000017
【図７】
2017206934.tif 000018
【図８】
2017206934.tif 000019
【図９】
2017206934.tif 000020
【図１０】
2017206934.tif 000021
【図１１】
2017206934.tif 000022